(57)【要約】【課題】送信すべき情報に基づく電界を電界伝達媒体に誘起させるとともに電界伝達媒体に誘起された電界を検出して情報の送受信を行うトランシーバを用いることにより、ネットワーク環境を予め構築しなくても、Ｐｉｃｋ−ａｎｄ−Ｄｒｏｐシステムのデータ通信を的確に行い得る位置検出入出力装置を提供する。【解決手段】位置検出入出力装置１０　は、抵抗膜方式のタッチパネルを採用しており、　導電性膜１１、絶縁性膜１２および位置検出装置１３と、トランシーバ３を有する構成で、携帯情報端末１およびトランシーバ３を備えた利用者が導電性膜１１に触れることにより、導電性膜１１、通信線１４、トランシーバ３を介する第１の通信経路と、導電性膜１１、絶縁性膜１２、位置検出装置１３、出力線１５を介する第２の通信経路とが独立して成立し、第２の通信経路により取得された位置および時間に関する情報に基づいて、オブジェクトの送受信を第１の通信回路経由で行うようになっている。【選択図】　　　図１
2004127173.tif 000002
【特許請求の範囲】
【請求項１】
送信すべき情報に基づく電界を電界伝達媒体である生体に誘起させるとともにこの誘起した電界を検出して情報の送受信を行う複数のトランシーバを利用して、複数のコンピュータ間のオブジェクト移動を行うコンピュータシステムにおける位置検出入出力装置であって、
前記複数のコンピュータの中の１つである第１のコンピュータと前記第１のコンピュータに接続された前記複数のトランシーバの中の１つである第１のトランシーバとを装着した利用者の生体が触れることにより、前記利用者の生体が触れた位置および時間に関する情報を検出し、該情報を前記複数のコンピュータの中の１つである第２のコンピュータに出力する一方で、前記利用者の生体を介して前記第１のトランシーバとの通信経路を確立する入出力手段と、
前記入出力手段および前記第２のコンピュータに接続されており、前記入出力手段および前記利用者の生体を介して前記第１のトランシーバに、前記第２のコンピュータが前記利用者が触れた位置および時間に関する情報に基づいて入出力制御するオブジェクト情報を送受信する、前記複数のトランシーバの中の１つである第２のトランシーバと、
を有することを特徴とする位置検出入出力装置。
【請求項２】
前記入出力手段は、
前記第２のトランシーバに接続されており、前記利用者の生体が触れる導電性膜と、
前記導電性膜に隣接し、前記導電性膜に誘起した電界の漏洩を防ぐ絶縁性膜と、
前記絶縁性膜に隣接し、前記利用者の生体が前記導電性膜に触れた場合には前記導電性膜および前記絶縁性膜が押下されることにより、前記利用者の生体が触れた位置および時間に関する情報を検出して、前記第２のコンピュータに出力する位置検出手段と、
を有することを特徴とする請求項１記載の位置検出入出力装置。
【請求項３】
前記導電性膜、および前記絶縁性膜は透明であり、
前記位置検出手段は、前記第２のコンピュータからオブジェクトの出力を受け、該オブジェクトを表示することを特徴とする請求項２記載の位置検出入出力装置。
【請求項４】
前記導電性膜は、前記第２のコンピュータからのオブジェクト出力を投影装置を介した投影像として表示することを特徴とする請求項２記載の位置検出入出力装置。
【発明の詳細な説明】
【０００１】
【発明の属する技術分野】
本発明は、例えば、ウェアラブルコンピュータのデータ通信のために使用されるトランシーバを用いた位置検出入出力装置に関し、特に、送信すべき情報に基づく電界を電界伝達媒体に誘起させるとともに、電界伝達媒体に誘起された電界を検出して情報の送受信を行うトランシーバを用いた位置検出入出力装置に関する。
【０００２】
【従来の技術】
携帯端末の小型化および高性能化によりウェアラブルコンピュータが注目されているが、図８はこのようなウェアラブルコンピュータを人間に装着して使用する場合の例を示している。同図に示すように、ウェアラブルコンピュータ１はそれぞれトランシーバ３を介して人間の腕、肩、胴体などに装着されて互いにデータの送受信を行うとともに、更に手足の先端で触れられるよう壁や床に設けられたトランシーバ３ａ、３ｂとケーブルとを介して外部に設けられたパソコン（ＰＣ）５と通信を行っている。
【０００３】
ここで、このようなウェアラブルコンピュータ１間、およびウェアラブルコンピュータ１とＰＣ５間とのデータ通信に使用されるトランシーバ３は、レーザ光と電気光学結晶を用いた電気光学的手法による信号検出技術を利用していて、送信すべき情報に基づく電界を電界伝達媒体である生体に誘起させ、この誘起した電界を用いて情報の送受信を行うものである。
【０００４】
ところで、昨今、ユビキタスコンピューティングという言葉を耳にするが、このようなユビキタスコンピューティング環境を実現するインターフェースの１つとして、例えば、「Ｐｉｃｋ−ａｎｄ−Ｄｒｏｐ」という、複数コンピュータ環境での直接操作技法が存在する。Ｐｉｃｋ−ａｎｄ−Ｄｒｏｐのシステムにおいては、特殊ペンによりある画面（コンピュータ）内のオブジェクトをピックし、他の画面（コンピュータ）においてドロップすると、オブジェクトはある画面から他の画面に移動することができるので、容易に複数コンピュータ間での情報の移動が実現できるようになっている。
【０００５】
尚、この出願に関連する先行技術文献情報としては、次のものがある。
【０００６】
【特許文献１】
特開２００１−３５２２９８公報
【０００７】
【非特許文献１】
Ｊｕｎ　Ｒｅｋｉｍｏｔｏ，　”Ｐｉｃｋ−ａｎｄ−Ｄｒｏｐ：　Ａ　Ｄｉｒｅｃｔ　Ｍａｎｉｐｕｌａｔｉｏｎ　Ｔｅｃｈｎｉｑｕｅ　ｆｏｒ　Ｍｕｌｔｉｐｌｅ　Ｃｏｍｐｕｔｅｒ　Ｅｎｖｉｒｏｎｍｅｎｔｓ”，［平成１４年９月１０日検索］、インターネット＜ＵＲＬ：　ｈｔｔｐ：／／ｗｗｗ．ｃｓｌ．ｓｏｎｙ．ｃｏ．ｊｐ／ｐｅｒｓｏｎ／ｒｅｋｉｍｏｔｏ／ｐａｐｅｒｓ／ｗｉｓｓ９７．ｐｄｆ＞
【０００８】
【発明が解決しようとする課題】
しかし、上述したＰｉｃｋ−ａｎｄ−Ｄｒｏｐのシステムは、実際には、どの特殊ペンがどのオブジェクトを保存しているかを管理するサーバとコンピュータ間の相互通信により、オブジェクトを移動させるネットワーク型のシステムであるため、サーバとコンピュータ間が有線および無線で接続されるネットワーク環境を予め構築しておかなければならないという問題がある。
【０００９】
本発明は、上記の事情を鑑みてなされたものであり、送信すべき情報に基づく電界を電界伝達媒体に誘起させるとともに、電界伝達媒体に誘起された電界を検出して情報の送受信を行うトランシーバを用いることにより、ネットワーク環境を予め構築しなくても、Ｐｉｃｋ−ａｎｄ−Ｄｒｏｐシステムのデータ通信を的確に行い得る位置検出入出力装置を提供することを目的とする。
【００１０】
【課題を解決するための手段】
上記目的を達成するため、請求項１記載の本発明は、送信すべき情報に基づく電界を電界伝達媒体である生体に誘起させるとともにこの誘起した電界を検出して情報の送受信を行う複数のトランシーバを利用して、複数のコンピュータ間のオブジェクト移動を行うコンピュータシステムにおける位置検出入出力装置であって、前記複数のコンピュータの中の１つである第１のコンピュータと前記第１のコンピュータに接続された前記複数のトランシーバの中の１つである第１のトランシーバとを装着した利用者の生体が触れることにより、前記利用者の生体が触れた位置および時間に関する情報を検出し、該情報を前記複数のコンピュータの中の１つである第２のコンピュータに出力する一方で、前記利用者の生体を介して前記第１のトランシーバとの通信経路を確立する入出力手段と、前記入出力手段および前記第２のコンピュータに接続されており、前記入出力手段および前記利用者の生体を介して前記第１のトランシーバに、前記第２のコンピュータが前記利用者が触れた位置および時間に関する情報に基づいて入出力制御するオブジェクト情報を送受信する、前記複数のトランシーバの中の１つである第２のトランシーバと、を有することを要旨とする。
【００１１】
請求項１記載の本発明にあっては、第１のコンピュータおよび第１のトランシーバを装着した利用者の生体が入出力手段に触れると、電界伝達媒体である生体を介して第１および第２のトランシーバが通信可能となるので、第１のコンピュータと、第２のコンピュータ間でオブジェクト情報の送受信が可能となる。一方、入出力手段は、利用者の生体が触れた位置および時間に関する情報を検出し、該情報を第２のコンピュータに出力するので、第２のコンピュータは、この位置情報からオブジェクトの入出力を制御する。そして、第２のトランシーバは、第２のコンピュータのオブジェクト制御に基づき、第１のトランシーバにオブジェクト情報の送受信を行う。これにより、予めコンピュータ間を結ぶネットワーク環境を構築しなくても、利用者が入出力手段に触れるだけで、電界伝達媒体を介した通信経路が確立し、複数コンピュータ間のオブジェクト移動を簡単に実現することができる。また、ピアーツーピアー　（ｐｅｅｒ　ｔｏ　ｐｅｅｒ）の通信を行うコンピュータシステムであるので、ネットワーク型のコンピュータシステムに比べて、セキュリティを高めることができる。
【００１２】
請求項２記載の本発明は、請求項１記載の発明において、前記入出力手段は、前記第２のトランシーバに接続されており、前記利用者の生体が触れる導電性膜と、前記導電性膜に隣接し、前記導電性膜に誘起した電界の漏洩を防ぐ絶縁性膜と、前記絶縁性膜に隣接し、前記利用者の生体が前記導電性膜に触れた場合には前記導電性膜および前記絶縁性膜が押下されることにより、前記利用者の生体が触れた位置および時間に関する情報を検出して、前記第２のコンピュータに出力する位置検出手段と、を有することを要旨とする。
【００１３】
請求項２記載の本発明にあっては、利用者の生体が導電性膜に触れても、絶縁性膜が導電性膜に誘起した電界の漏洩を防ぐので、電界伝達媒体である生体を介して第１および第２のトランシーバが通信可能となり、第１のコンピュータと、第２のコンピュータ間でオブジェクト情報の送受信が可能となる。一方、位置検出手段は、利用者の生体が触れた位置および時間に関する情報を検出し、該情報を第２のコンピュータに出力するので、第２のコンピュータは、この位置情報からオブジェクトの入出力を制御する。そして、第２のトランシーバは、第２のコンピュータのオブジェクト制御に基づき、オブジェクト情報の送受信を行う。これにより、生体の押下に基づいて押下位置を検出する位置検出入出力装置であっても、絶縁性膜が電界の外部への漏洩あるいは外部からの電界の影響を防ぐので、電界伝達媒体を介して的確に複数コンピュータ間においてオブジェクトを移動させることができる。
【００１４】
請求項３記載の本発明は、請求項２記載の発明において、前記導電性膜、および前記絶縁性膜は透明であり、前記位置検出手段は、前記第２のコンピュータからオブジェクトの出力を受け、該オブジェクトを表示することを要旨とする。
【００１５】
請求項３記載の本発明にあっては、導電性膜、および絶縁性膜は透明であり、位置検出手段は、第２のコンピュータからオブジェクトを表示する。これにより、利用者はオブジェクトを見ることができる。
【００１６】
請求項４記載の本発明は、請求項２記載の発明において、前記導電性膜は、前記第２のコンピュータからのオブジェクトの出力を投影装置を介した投影像として表示することを要旨とする。
【００１７】
請求項４記載の本発明にあっては、投影装置は、第２のコンピュータからのオブジェクト出力を導電性膜に投影像として表示する。これにより、導電性膜、および絶縁性膜の色を問わず、利用者はオブジェクトを見ることができる。
【００１８】
【発明の実施の形態】
以下、本発明の実施の形態を図面を用いて説明する。
【００１９】
本発明の実施の形態に係る位置検出入出力装置を説明する前に、図７を用いて、Ｐｉｃｋ−ａｎｄ−Ｄｒｏｐによるオブジェクト入出力システム１００の概念を説明する。
【００２０】
図７において、携帯情報端末１ｂおよびトランシーバ３ｂを身につけた利用者の生体がコンピュータ（画面）２０ａのあるオブジェクト４（例えば、魚）に触れて離すと（Ｐｉｃｋ）、このオブジェクト４はオブジェクトを管理しているオブジェクト管理部７ａからトランシーバ３ａ、生体、トランシーバ３ｂを介して自己の携帯情報端末１ｂに移動し、画面２０ａ上に表示されていたオブジェクトは消失する。次に、利用者の生体が他のコンピュータ（画面）２０ｃに触れると（Ｄｒｏｐ）、自己の携帯情報端末１ｂに移動していたオブジェクト４がトランシーバ３ｂ、生体、３ｃを介してオブジェクト管理部７ｃに移動し、画面２０ｃ上の利用者が触れた部分にオブジェクト４が表示される。このように、オブジェクト入出力システム１００は、利用者の生体によるＰｉｃｋ−ａｎｄ−Ｄｒｏｐという直接操作技法を用いることにより、あたかもオブジェクトが現実空間での物理的な移動をしているかのよう操作感を与えるシステムである。
【００２１】
次に、このようなオブジェクト入出力システム１００のインターフェース部分に用いられる位置検出入出力装置について説明する。　図１は、本発明の実施形態に係る位置検出入出力装置１０　の構成を示す図である。位置検出入出力装置１０　は、抵抗膜方式のタッチパネルを採用しており、入出力手段としての　導電性膜１１、絶縁性膜１２および位置検出装置１３と、トランシーバ３を有する構成で、携帯情報端末１ｂおよびトランシーバ３ｂを備えた利用者が導電性膜１１に触れることにより、導電性膜１１、通信線１４、トランシーバ３を介する第１の通信経路と、導電性膜１１、絶縁性膜１２、位置検出装置１３、出力線１５を介する第２の通信経路とが独立して成立し、第２の通信経路により取得された位置および時間に関する情報に基づいて、オブジェクトの送受信を第１の通信回路経由で行うようになっている装置である。尚、出力線１５およびトランシーバ３の先はオブジェクトを管理しているコンピュータに接続されるようになっている。
【００２２】
導電性膜１１は導電体で形成され、利用者の生体が触れると、導電性膜１１に誘起した電界をトランシーバ３に通信線１４を介して出力するようになっている。
【００２３】
ここで、トランシーバ３は、詳しくは、図２に示すように、生体に装着された別のトランシーバから生体に誘起されて伝達されてくる電界を絶縁膜３０４を介して送受信電極３０３で検出し、この電界を電界検出光学部３０５に結合して電気信号に変換する。この電気信号は、信号処理回路３０６で増幅、雑音除去などの信号処理を施され、更に波形整形回路３０７で波形整形されてから、入出力（Ｉ／Ｏ）回路３０１を介してコンピュータに出力されるようになっている。
【００２４】
また、トランシーバ３は、コンピュータからの送信データを入出力（Ｉ／Ｏ）回路３０１を介して受け取ると、この送信データを送信部３０２を介して送受信電極３０３に供給し、該送受信電極３０３および絶縁膜３０４を介して生体に電界を誘起させ、この電界を生体に伝達させるようになっている。
【００２５】
従って、このようなトランシーバ３を位置検出入出力装置１０および利用者が備え、かつ利用者が導電性膜１１に触れることによって、生体を介してトランシーバ３に接続された双方の　コンピュータ間通信が可能となり、オブジェクトの移動ができるようになっている。
【００２６】
絶縁性膜１２は導電性膜１１に隣接しており、導電性膜１１に誘起した電界の漏洩を防ぐものであり、これにより電界は弱まらずにトランシーバ３に的確に伝わるようになっている。
【００２７】
位置検出装置１３は絶縁性膜１２に隣接しており、利用者が導電性膜１１に触れた際には、導電性膜１１および絶縁性膜１２が押下され、この押下された位置が位置検出装置１３に伝わるようになっているので、位置検出装置１３は利用者が触れた位置、時間などの情報を検出し、該情報を出力線１５を介して接続先のコンピュータに出力するようになっている。
【００２８】
次に、このような位置検出入出力装置１０を用いた、Ｐｉｃｋ−ａｎｄ−Ｄｒｏｐによるオブジェクト入出力システム１００を図３を用いて説明する。
【００２９】
オブジェクト入出力システム１００は、オブジェクト４ｉ（ｉ＝ａ，ｂ，…，ｎ）を管理するオブジェクト入出力装置２０と、人が備えるウェアラブルコンピュータ群３０とを有する構成である。尚、図３には、オブジェクト入出力装置２０およびウェアラブルコンピュータ群３０は１つしか図示されていないが、オブジェクト入出力装置２０およびウェアラブルコンピュータ群３０は複数存在していてもよい。
【００３０】
オブジェクト入出力装置２０は、オブジェクト４ｉを管理するとともに、表示装置１６に表示されたオブジェクト４ｉを利用者が触れて操作することにより、オブジェクト４ｉの入出力を制御して、ウェアラブルコンピュータ群３０と通信を行う装置であり、オブジェクト管理装置２２、オブジェクト記憶装置２３、入力装置２１、出力装置２４、トランシーバ３ａ、および表示装置１６を備えている。
【００３１】
オブジェクト記憶装置２３は、オブジェクト４ｉを記憶する装置であり、オブジェクト管理装置２２は、利用者が触れた位置や利用者の触れる操作（クリック、ドラッグなど）により、オブジェクト記憶装置２３に記憶されたオブジェクトの入出力を制御する装置である。ここで、本発明におけるオブジェクトとは、属性（色、形、材質など）や機能（動く、消えるなど）やデータ（静止画、動画、音、時刻など）を有するものをいう。
【００３２】
表示装置１６は、前述した位置検出入出力装置１０の導電性膜１１、絶縁性膜１２および位置検出装置１３からなる装置をいい、前述した入出力手段としての機能の他、オブジェクト４ｉを表示する機能を有する装置である。尚、導電性膜１１、絶縁性膜１２は透明な膜であるため、位置検出装置１３に表示されたオブジェクト４ｉは利用者から見えるようになっている。
【００３３】
入力装置２１は、位置検出装置１３から受け取った位置や時間に関する情報をオブジェクト管理装置２２に出力するようになっている。また、上記情報から利用者の触れる操作（クリック、ドラッグなど）を判別し、操作に関する情報もオブジェクト管理装置２２に出力するようになっている。
【００３４】
出力装置２４は、オブジェクト管理装置２２から送られるオブジェクト４ｉを表示装置１６に出力する装置である。
【００３５】
人が身につけているウェアラブルコンピュータ群３０は、人間の腕、肩、胴体などに装着されたトランシーバ３ｂと、トランシーバ３ｂに接続された端末機器１ｂから構成され、生体を介してオブジェクト入力装置２０と通信可能となっている。
【００３６】
次に、オブジェクト入出力システム１００の動作について、図４および５を用いて説明する。ここで、図４はオブジェクトをピックした場合の動作を説明するシーケンス図であり、図５はオブジェクトをドロップした場合の動作を説明するシーケンス図である。
【００３７】
まず、利用者が表示装置１６上に表示されているオブジェクト４に触れると、電界伝達媒体である生体を介して、オブジェクト入出力装置２０とウェアラブルコンピュータ群３０とに通信路が確立し、両コンピュータは通信が可能となる（ステップＳ１０、Ｓ２０）。
【００３８】
一方、オブジェクト入出力装置２０においては、利用者が触れた位置、および時間に関する情報を位置検出装置１３が検出するので、該情報を入力装置２１を介してオブジェクト管理装置２２に出力する（ステップＳ３０）。オブジェクト管理装置２２は、オブジェクト記憶装置２３に記憶されたオブジェクトに関する情報と入力装置２１から取得した位置情報とから触れられたオブジェクトを特定し、また、入力装置２１から取得した操作情報からオブジェクトの入出力を制御する（ステップＳ３０）。そして、利用者の操作がｐｉｃｋであると判断した場合には、選択されたオブジェクトを生体を介してウェアラブルコンピュータ群３０の端末機器１ｂに送信する（ステップＳ４０、Ｓ５０）。尚、上記のオブジェクトの移動は、利用者の生体がオブジェクト４に触れている間に行われるものであり、利用者の生体がオブジェクト４から離れると、電界伝達媒体による通信は成立しないので、オブジェクト４の移動は行われない（ステップＳ６０、Ｓ７０）。
【００３９】
その後、利用者が同一のもしくは他の入出力装置２０の表示装置１６（オブジェクト４は表示されていない部分）に触れると、同様にして、電界伝達媒体である生体を介して、オブジェクト入出力装置２０とウェアラブルコンピュータ群３０とに通信路が確立し、両コンピュータは通信が可能となる（ステップＳ１１０、Ｓ１２０）。
【００４０】
一方、オブジェクト入出力装置２０においては、利用者が触れた位置、および時間に関する情報を位置検出装置１３が検出するので、該情報を入力装置２１を介してオブジェクト管理装置２２に出力する（ステップＳ１３０）。オブジェクト管理装置２２は、オブジェクト記憶装置２３に記憶されたオブジェクトに関する情報と入力装置２１から取得した位置情報から、触れられた位置にはオブジェクト４が存在しないと判断して、端末機器１に存するオブジェクト４を受信し、触れられた位置にオブジェクト４を表示する（ステップＳ１４０〜Ｓ１６０）。尚、上記のオブジェクト４の移動は、利用者の生体が画面に触れている間に行われるものであり、利用者の生体が画面から離れると、電界伝達媒体による通信は成立しないので、オブジェクト４ｉの移動は行われない（ステップＳ１７０、Ｓ１８０）。
【００４１】
従って、本実施の形態の位置検出入出力装置１０によれば、オブジェクト入出力システム１００において、電界伝達媒体を介して通信可能なトランシーバ３を用いることにより、利用者の生体が位置検出入出力装置１０に触れるという簡単な動作のみでオブジェクトを自由に移動させることができるので、ネットワーク環境を予め構築しなくても、Ｐｉｃｋ−ａｎｄ−Ｄｒｏｐのシステムを実現することができる。
【００４２】
また、複数の利用者が同一画面のオブジェクト４ｉを操作する場合においても、操作情報として時間に関する情報を有しているため、操作者の特定をすることができるので、複数の利用者の共同作業や議論の効率を高めることができる。
【００４３】
さらに、コンピュータを有線および無線で接続しているネットワーク型のシステムに比べて、オブジェクト入出力システム１００は、電界伝達媒体を介するピアーツーピアの通信であるため、通信のセキュリティを高めることができる。
【００４４】
以上、本発明の実施の形態について説明してきたが、本発明の要旨を逸脱しない範囲において、本発明の実施の形態に対して種々の変形や変更を施すことができる。例えば、上記実施の形態の位置検出入出力装置１０は、抵抗膜方式のタッチパネルを採用したが、本発明はこれに限定されるわけではなく、他の方式を用いたタッチパネル、例えば赤外線方式などを採用してもよいのはもちろんである。尚、赤外線方式のタッチパネルの場合には、導電性膜１１、絶縁性膜１２および位置検出装置１３を有する３層の構成とせずに、１層の構成として、同様の機能を備えることが可能である。
【００４５】
また、上記実施の形態のオブジェクト入出力システム１００においては、出力装置２４が、オブジェクトを表示装置１６に出力するようにしていたが、図６に示すオブジェクト入出力システム２００のように、投影装置４１を別途設けて、この投影装置４１が表示装置１６にオブジェクトを投影、表示するようにしてもよい。そして、このような場合においては、導電性膜１１および絶縁性膜１２は、透明でなくてもよい。
【００４６】
【発明の効果】
以上説明したように、本発明の位置検出入出力装置によれば、送信すべき情報に基づく電界を電界伝達媒体に誘起させるとともに、電界伝達媒体に誘起された電界を検出して情報の送受信を行うトランシーバを用いることにより、利用者がディスプレイに触れるだけでオブジェクトの移動を簡単に行うことができるので、ネットワーク環境を予め構築しなくても、データ通信を的確に行えるＰｉｃｋ−ａｎｄ−Ｄｒｏｐのシステムを実現することができる。
【図面の簡単な説明】
【図１】本発明の実施の形態に係る位置検出入出力装置の概略構成図である。
【図２】本発明の実施の形態に係る位置検出入出力装置を構成するトランシーバの回路構成を示すブロック図である。
【図３】本発明の実施の形態に係る位置検出入出力装置を用いたオブジェクト入出力システムの概略構成図である。
【図４】本発明の実施の形態に係る位置検出入出力装置を用いたオブジェクト入出力システムの動作を示すシーケンス図である。
【図５】本発明の実施の形態に係る位置検出入出力装置を用いたオブジェクト入出力システムの動作を示すシーケンス図である。
【図６】本発明の他の実施の形態に係る位置検出入出力装置を用いたオブジェクト入出力システムの概略構成図である。
【図７】実施の形態に係る位置検出入出力装置を用いたオブジェクト入出力システムの概念を説明する図である。
【図８】トランシーバを介してウェアラブルコンピュータを人間に装着して使用する場合の例を示す説明図である。
【符号の説明】
１　ウェアラブルコンピュータ
３　トランシーバ
４　オブジェクト
１０　位置検出入出力装置
１１　導電性膜
１２　絶縁性膜
１３　位置検出装置
１４　通信線
１５　出力線
１６　表示装置
２０，４０　オブジェクト入出力装置
２１　入力装置
２２　オブジェクト管理装置
２３　オブジェクト記憶装置
２４　出力装置
３０　ウェアラブルコンピュータ群
１００，２００　オブジェクト入出力システム
３０１　Ｉ／Ｏ回路
３０２　送信部
３０３　送受信電極
３０４　絶縁膜
３０５　電界検出光学部
３０６　信号処理回路
３０７　波形整形回路
【図１】
2004127173.tif 000003
【図２】
2004127173.tif 000004
【図３】
2004127173.tif 000005
【図４】
2004127173.tif 000006
【図５】
2004127173.tif 000007
【図６】
2004127173.tif 000008
【図７】
2004127173.tif 000009
【図８】
2004127173.tif 000010